(57)【要約】【課題】不可逆的な封印が可能な梱包箱を提供する。【解決手段】段ボールからなる複数の壁を折り曲げて多角柱体を構成し、一つの辺に該当する部分に溝あなを有する蓋体と、溝あなに挿入することが可能な位置に、蓋体に隣接する他の壁に付属するものとして形成された第一の舌片とを有する。第一の舌片は、溝あなに平行な罫線と、当該罫線をまたいで設けた切り込み線によって形成された第二の舌片とを有する。側面が内壁と外壁の二重の段ボールにより構成され、外壁の高さにおける中間位置にロック用穴を設ける。ロック用穴に挿入可能な凸状体を有する。蓋体は、直方体の梱包箱の上面を覆う部分と、直方体のロック用穴を設けた外壁を覆う部分との境目の蓋体罫線を有し、凸状体は、蓋体罫線に平行な罫線であって、当該罫線により凸状体を折ることにより、凸状体の先端が蓋体罫線の近傍に至る。【選択図】図１
2019209979.tif 000002
【特許請求の範囲】
【請求項１】
段ボールからなる複数の壁を折り曲げて多角柱体を構成し、
前記多角柱体の一つの辺に該当する部分に溝あなを有する前記複数の壁のうちの一つの壁である蓋体と、
前記蓋体に設けられた前記溝あなに挿入することが可能な位置に、前記多角柱体を構成する複数の壁のうち前記蓋体に隣接する他の壁に付属するものとして形成された第一の舌片と
を有する梱包箱であって、
前記第一の舌片は、
前記溝あなに平行な罫線と、
当該罫線をまたいで設けた切り込み線によって形成された第二の舌片と
を有し、
前記梱包箱をロックする際には、前記罫線にしたがって前記第一の舌片のうち前記第二の舌片を除く部分を折り曲げた状態で前記第一の舌片を前記溝あなに挿入することにより、前記第二の舌片がストッパーとして機能して、
当該ロックをしたのちに、当該ロックを解除するためには、前記梱包箱を壊すことを要するような不可逆的なロックが実現される梱包箱。
【請求項２】
前記蓋体の、前記溝あなに隣接する位置にミシン目を設け、当該ミシン目を破ることにより、前記ロックを解除できることを特徴とする請求項１に記載の梱包箱。
【請求項３】
前記第一の舌片が前記複数の壁のうちの一つにつながる位置にミシン目を設け、当該ミシン目を破ることにより、前記第一の舌片が取り除かれて前記ロックを解除できることを特徴とする請求項１に記載の梱包箱。
【請求項４】
側面が内壁と外壁の二重の段ボールにより構成され、
外壁の高さにおける中間位置にロック用穴を設け、
前記直方体の上部を覆う蓋体と、
前記蓋体に設けられ、前記ロック用穴に挿入可能な凸状体と
を有する直方体の梱包箱であって、
前記蓋体は、前記直方体の梱包箱の上面を覆う部分と、前記直方体のロック用穴を設けた外壁を覆う部分との境目の蓋体罫線を有し、
前記凸状体は、前記蓋体罫線に平行な罫線であって、当該罫線により前記凸状体を折ることにより、前記凸状体の先端が前記蓋体罫線の近傍に至るような凸状体罫線を有し、
前記梱包箱をロックする際には、前記凸状体罫線にしたがって前記凸状体を折り曲げた状態で前記ロック用穴に挿入することにより、前記凸状体が前記二重の段ボールに囲まれた空間に固定されて、前記凸状体がストッパーとして機能して、
当該ロックをしたのちに、当該ロックを解除するためには、前記梱包箱を壊すことを要するような不可逆的なロックが実現される梱包箱。
【請求項５】
前記蓋体の前記凸状体を設けた箇所に隣接する位置に指穴を設け、当該指穴を利用して前記梱包箱のロックを解除可能にしたことを特徴とする請求項４に記載の梱包箱。
【請求項６】
前記蓋体の前記凸状体を設けた部分以外の箇所は、前記凸状体罫線の位置よりも下方まで延びる部分を有することを特徴とする請求項４又は５のいずれか１項に記載の梱包箱。
【請求項７】
前記ロック用穴を形成した前記外壁は、前記ロック用穴の下方において、前記外壁が上に向けて凸状に伸びる凸状部分を有することを特徴とする請求項４から請求項６までのいずれか１項に記載の梱包箱。
【請求項８】
前記ロック用穴は、前記内壁と前記外壁の二重の段ボールからなる二つの側面の両方に形成され、
前記蓋体は、前記直方体の梱包箱の上面を覆う部分と、その部分につながる二つの相反する方向に向かって延びる二つの前記凸状体を有する
ことを特徴とする請求項４から請求項７までのいずれか１項に記載の梱包箱。
【請求項９】
前記ロック用穴は、前記内壁と前記外壁の二重の段ボールからなる一つの側面に複数形成され、
前記蓋体には、前記凸状体が前記ロック用穴に対応して、複数形成される
ことを特徴とする請求項４から請求項８までのいずれか１項に記載の梱包箱。
【請求項１０】
前記ロック用穴は、前記内壁と前記外壁の二重の段ボールからなる二つの側面のうち、一方にのみ形成され、
前記内壁と前記外側ダンボ―ルの二重の段ボールからなる二つの側面のうち、前記ロック用穴を形成しない側の外壁には溝穴を形成し、
前記蓋体の、前記凸状体を設ける側の反対側には、前記溝穴に挿入可能な挿入体を設ける
ことを特徴とする請求項４、請求項５、請求項６、請求項７又は請求項９のいずれか１項に記載の梱包箱。
【発明の詳細な説明】
【技術分野】
【０００１】
本発明は、不可逆的なロック機構を有する梱包箱、梱包箱のロック機構、及び梱包箱のロック方法に関する。
【背景技術】
【０００２】
梱包箱は、段ボールにより構成されることが多くなされている。
特許文献１には、野菜出荷用通気構造ダンボール箱であって、箱組み立てに使用する通気構造枠の両端の差込溝に返り止めストッパーを取り付けて、一旦差し込まれたダンボールシートの側面フラップが返り止めストッパーにひっかかって抜けなくなるようにしたものが記載されている。
【０００３】
特許文献２には、梱包箱を不可逆的に封印して不正な開封を防止することが可能な梱包箱封印装置が提案されている。具体的には、本体と蓋とをワンウエイねじによって不可逆的に締結するものである。
【先行技術文献】
【特許文献】
【０００４】
【特許文献１】実開平０２−０１０９２５号公報
【特許文献２】特開２００５−２４５６５８号公報
【発明の概要】
【発明が解決しようとする課題】
【０００５】
不可逆的な封印を梱包箱に施すことは、開封されずに顧客まで届けられることを保証するためになされる。不可逆的な封印がなされた梱包箱を受け取る顧客は、壊された跡や、テープが剥がされた痕跡が残っていないことにより、発送者が封印してから、自分の手元に当該梱包箱が届くまでの間に、第三者による開封がなされなかったことを確信できる。特許文献２にあっては、ワンウェイねじによって、その不可逆的な封印を実現する。
一方、特許文献１には、段ボールに返り止めストッパーを設けることが開示されている。
本発明の発明者は、返り止めストッパーに似た構造をもたせることで、不可逆的な封印を段ボール箱に施すことができないかと、日夜、鋭意研究の結果、ついに考えついた。
段ボール箱における不可逆的な封印は、当該段ボール箱を破壊せずに、封印（ロック）を解除することができないもの、すなわち、破壊の痕跡を残さずに封印を解除することができないものと考える。
【０００６】
本発明は、不可逆的な封印を施すことが可能な梱包箱を段ボール箱として提供することを目的とするものである。
【課題を解決するための手段】
【０００７】
すなわち、本発明は、段ボールからなる複数の壁を折り曲げて多角柱体を構成し、前記多角柱体の一つの辺に該当する部分に溝あなを有する前記複数の壁のうちの一つの壁である蓋体と、前記蓋体に設けられた前記溝あなに挿入することが可能な位置に、前記多角柱体を構成する複数の壁のうち前記蓋体に隣接する他の壁に付属するものとして形成された第一の舌片とを有する梱包箱であって、前記第一の舌片は、前記溝あなに平行な罫線と、当該罫線をまたいで設けた切り込み線によって形成された第二の舌片とを有し、前記梱包箱をロックする際には、前記罫線にしたがって前記第一の舌片のうち前記第二の舌片を除く部分を折り曲げた状態で前記第一の舌片を前記溝あなに挿入することにより、前記第二の舌片がストッパーとして機能して、当該ロックをしたのちに、当該ロックを解除するためには、前記梱包箱を壊すことを要するような不可逆的なロックが実現されるものである。これにより、荷造りした者と荷物を受け取るものとの中間において、第三者が開封することを防ぐことが可能となる。
【０００８】
本発明の梱包箱において、前記蓋体の、前記溝あなに隣接する位置にミシン目を設け、当該ミシン目を破ることにより、前記ロックを解除できるようにすることができる。これにより、荷物を受け取る者が封印を解除することが容易となる。
【０００９】
本発明の梱包箱において、前記第一の舌片が前記複数の壁のうちの一つにつながる位置にミシン目を設け、当該ミシン目を破ることにより、前記第一の舌片が取り除かれて前記ロックを解除できるようにすることもできる。これにより、荷物を受け取る者が封印を解除することが容易となる。
【００１０】
本発明の梱包箱は、側面が内壁と外壁の二重の段ボールにより構成され、外壁の高さにおける中間位置にロック用穴を設け、前記直方体の上部を覆う蓋体と、前記蓋体に設けられ、前記ロック用穴に挿入可能な凸状体とを有する直方体の梱包箱であって、前記蓋体は、前記直方体の梱包箱の上面を覆う部分と、前記直方体のロック用穴を設けた外壁を覆う部分との境目の蓋体罫線を有し、前記凸状体は、前記蓋体罫線に平行な罫線であって、当該罫線により前記凸状体を折ることにより、前記凸状体の先端が前記蓋体罫線の近傍に至るような凸状体罫線を有し、前記梱包箱をロックする際には、前記凸状体罫線にしたがって前記凸状体を折り曲げた状態で前記ロック用穴に挿入することにより、前記凸状体が前記二重の段ボールに囲まれた空間に固定されて、前記凸状体がストッパーとして機能して、当該ロックをしたのちに、当該ロックを解除するためには、前記梱包箱を壊すことを要するような不可逆的なロックが実現されるものとすることができる。これにより、荷造りした者と荷物を受け取るものとの中間において、第三者が開封することを防ぐことが可能となる。
【００１１】
本発明の梱包箱は、前記蓋体の前記凸状体を設けた箇所に隣接する位置に指穴を設け、当該指穴を利用して前記梱包箱のロックを解除可能にしたことを特徴とする。これにより、荷物を受け取る者が封印を解除することが容易となる。
【００１２】
本発明の梱包箱において、前記蓋体の前記凸状体を設けた部分以外の箇所は、前記凸状体罫線の位置よりも下方まで延びる部分を有することを特徴とする。これにより、封印がより頑丈になる。
【００１３】
本発明の梱包箱において、前記ロック用穴を形成した前記外壁は、前記ロック用穴の下方において、前記外壁が上に向けて凸状に伸びる凸状部分を有することを特徴とする。これにより、封印がより頑丈になる。
【００１４】
本発明の梱包箱において、前記ロック用穴は、前記内壁と前記外壁の二重の段ボールからなる二つの側面の両方に形成され、前記蓋体は、前記直方体の梱包箱の上面を覆う部分と、その部分につながる二つの相反する方向に向かって延びる二つの前記凸状体を有することを特徴とする。これにより、梱包箱の両側面において同時に蓋体を下方に押し下げることにより、封印がなされる。
【００１５】
前記ロック用穴は、前記内壁と前記外壁の二重の段ボールからなる一つの側面に複数形成され、前記蓋体には、前記凸状体が前記ロック用穴に対応して、複数形成されることを特徴とする。これにより、より頑丈な封印が可能となる。
【００１６】
前記ロック用穴は、前記内壁と前記外壁の二重の段ボールからなる二つの側面のうち、一方にのみ形成され、前記内壁と前記外側ダンボ―ルの二重の段ボールからなる二つの側面のうち、前記ロック用穴を形成しない側の外壁には溝穴を形成し、前記蓋体の、前記凸状体を設る側の反対側には、前記溝穴に挿入可能な挿入体を設けることを特徴とする。これにより、梱包箱の両側面のうち、片方のみにおいて、蓋体を下方に押し下げて封印を実現することができる。
【発明の効果】
【００１７】
以上、説明したように、本発明によれば、荷造りした者と荷物を受け取るものとの中間において、第三者が開封することを防ぐことが可能となる。
【図面の簡単な説明】
【００１８】
【図１】四角柱体の蓋体の辺に溝あなを設け、四角柱体の側面の壁に付属するものとして溝あなに挿入する舌片を設けた梱包箱の実施形態を示す展開図である（実施形態１）。
【図２】四角柱体の側面の壁の辺に溝あなを設け、四角柱の蓋体に付属するものとして溝あなに挿入する舌片を設けた梱包箱の実施形態を示す展開図である（実施形態２）。
【図３】内壁と外壁の二重の段ボールからなる側面を有する直方体の一つの側面には二つのロック用穴を設け、他方の側面には溝穴を設けて、蓋体には、一方の端に凸状体を二つ設け、他方の端には溝穴に挿入する挿入体を設けた梱包箱の実施形態を示す展開図である（実施形態３）。
【図４】内壁と外壁の二重の段ボールからなる側面を有する直方体の両側の側面にそれぞれ一つずつロック用穴を設け、蓋体には、両方の端に凸状体をそれぞれ一つずつ設けた梱包箱の実施形態を示す展開図である（実施形態４）。
【図５】実施形態１の梱包箱のロック方法を示す写真である。
【図６】実施形態１の梱包箱のロックを解除する様子を示す写真である。
【図７】実施形態２の梱包箱のロック方法を示す写真である。
【図８】実施形態３の梱包箱の組み立て方法を示す写真である。
【図９】実施形態３の梱包箱の組み立て方法（続き）および蓋体のロック直前までの様子を示す写真である。
【図１０】実施形態３の梱包箱のロック方法を示す写真である。
【図１１】実施形態４のロック方法およびロックを解除する様子を示す写真である。
【発明を実施するための形態】
【００１９】
以下、添付図面を参照しながら、本発明のを実施するための最良の形態を詳細に説明する。図１〜図４は、本発明の実施の形態を例示する展開図であり、これらの図において、同一の符号を付した部分は同一物を表わし、基本的な構成及び動作は同様であるものとする。
図１から図４までの展開図に基づいて、型を作り、その型を取り付けたダイカットマシンに段ボールシートを通すことで、切れ目、ミシン目、罫線（折るための線）などを設けることができる。
【００２０】
≪実施形態１：四角柱体の蓋体の辺に溝あなを設け、四角柱体の側面の壁に付属するものとして溝あなに挿入する舌片を設けた梱包箱≫
図１に示す実施形態１は、多角柱（八角柱、六角柱、五角柱、四角柱など）の中から、特に、四角柱を選んだものであり、他の多角柱においても同様に実現可能なものである。
実施形態１の梱包箱１０は、側壁１２ａ，１２ｂ，１２ｃ，１２ｄがつながっており、その側壁を基礎とする形状を有している。側壁１２ａには１２ｂとは反対側にのりしろ１２ｅが設けられ、のりしろ１２ｅにのり（接着剤）を塗ることによって、側壁１２ｄとつながる。これにより、４枚の側壁がループ形状を形成する。
【００２１】
底１１ａ，１１ｂ，１１ｃ，１１ｄは、側壁１２ａ，１２ｂ，１２ｃ，１２ｄの下方につながって設けられており、底と側壁との境目に設けられた罫線にそって折られる。そして、テープ付け又は糊付けによって底が形成される。
ここまで組み立てると、上部の蓋体があいている状態の梱包箱となる。
【００２２】
蓋体１３には、蓋さしこみ部１３ａ、溝あな形成部１３ｂがつながっている。溝あなは、あなの部分をくりぬくことによるのではなく、溝穴に隣接する蓋体の部分を、蓋体と同一の平面内で延長させて張り出させることによって、形成する。これにより、この張り出し部分が、第一の舌片１５を溝あなに挿入する際のガイドの役割を果たす。
【００２３】
側壁１２ｂから上に延びる部分として設けられた上部内板１４ａ、および側壁１２ｄから上に延びる部分として設けられた１４ｂは、上部内板として、蓋板１３を補強する機能のみならず、蓋さしこみ部１３ａを支える機能、第１の舌片１５を挿入可能な空間を形成する機能（ひいては可逆的な封印を実現させる機能）をも有する。
蓋さしこみ部さしこみ空間形成部１４ｇ，１４ｈは、上部内板１４ａおよび上部内板１４Ｂの辺の一部である。蓋さしこみ部さしこみ空間形成部１４ｇ，１４ｈは、図１に示すように、側壁１２ｃと側壁１２ｂの境目、側壁１２ｃと側壁１２ｄの境目から、それぞれ段ボールの厚さ分だけ、ずれたところに位置している。したがって、上部内板１４ａ，１４ｂを折り曲げた状態では、蓋さしこみ部さしこみ空間形成部１４ｇ，１４ｈは、蓋さしこみ部１３ａを挿入可能な空間を形成する。
【００２４】
また、第１の舌片挿入空間形成部１４ｃ，１４ｄ，１４ｅ，１４ｆは、第１の舌片１５を溝あなに挿入したときに、ちょうど第１の舌片１５が収納される大きさを形成する。すなわち、第１の舌片１５を挿入したときに、ちょうどはいって、止まる空間を形成するものである。
【００２５】
第１の舌片１５は、罫線１６ａ、１６ｂ、１６ｃによって曲げられる。罫線１６ａは、１８０度曲げることを目的とする罫線である。罫線１６ｂは、９０度曲げることを目的とする。罫線１６ｃは、第１の舌片１５を溝あなにいれるために動かすために９０度よりも少し小さい角度だけ曲げることを目的とする。
【００２６】
第２の舌片１７は、罫線１６ａにまたがって設けられる部材であるが、第２の舌片１７自体には、罫線がつかないようにする。第１の舌片１５を罫線１６ａにそって折るときに、第２の舌片１７は、折曲がらずに起き上がるようにするためである。段ボールの向きには、折れやすい方向と折れにくい方向（目方向）がある。罫線１６ａは、折れにくい方向（目方向：紙幅方向）に設ける罫線とするのが望ましい。それにより、第２の舌片１７が起き上がる強度も大きくなる。
また、第２の舌片１７の先端と、第１の舌片１５との間には、空隙を設ける。これにより、罫線１６ａで折り曲げたときに、第２の舌片は、先端がひっかかることなく、スムーズに立ち上がることができる。
【００２７】
ロックの際、溝あなに挿入する第１の舌片１５は、段ボールを２枚重ねた状態であるので、厚くなっている。また、挿入の方向が目方向となる。そのため、強度、直進性に強い状態である。しかも、第２の舌片１７が起き上がっている。その状態で溝あなに挿入するので、狭い空間に無理に押し入れている状態となる。そして、第２の舌片が、蓋体１３を内側から押し付けている状態であるので、ロックがなされる。
【００２８】
このように段ボール２枚と第２の舌片が重なった状態で押し込まれているのを解除するには、梱包箱１０を破壊するしかない。その破壊を行うのに便利なミシン目１８をあらかじめ用意しておく。ミシン目１８は、第１の舌片１５の根元の部分にもうけてあるので、このミシン目を利用することにより、第１の舌片１５が分離され、ロック状態が解除される。
【００２９】
前述のように第１の舌片の挿入方向を目方向とした場合に、破壊後の溝あな形成部１３ｂは、段ボールのなみなみが見える状態であり、上げ下げする動きに強い向きである。したがって、ロック解除後に、使用者が蓋の開け閉めを引き続き行うことが可能である。
【００３０】
≪実施形態２：四角柱体の側面の壁の辺に溝あなを設け、四角柱の蓋体に付属するものとして溝あなに挿入する舌片を設けた梱包箱≫
図２に示す実施形態２は、多角柱（八角柱、六角柱、五角柱、四角柱など）の中から、特に、四角柱を選んだものであり、他の多角柱においても同様に実現可能なものである。
実施形態２の梱包箱３０は、側壁３２ａ，３２ｂ，３２ｃ，３２ｄがつながっており、その側壁を基礎とする形状を有している。側壁３２ａには３２ｂとは反対側にのりしろ３２ｅが設けられ、のりしろ３２ｅにのり（接着剤）を塗ることによって、側壁３２ｄとつながる。これにより、４枚の側壁がループ形状を形成する。
【００３１】
底３１ａ，３１ｂ，３１ｃ，３１ｄは、側壁３２ａ，３２ｂ，３２ｃ，３２ｄの下方につながって設けられており、底と側壁との境目に設けられた罫線にそって折られる。そして、テープ付け又は糊付けによって底が形成される。
ここまで組み立てると、上部の蓋体があいている状態の梱包箱となる。
【００３２】
蓋体３３には、第１の舌片３５がつながって設けられる。第１の舌片３５は、罫線３６ａ、３６ｂによって曲げられる。罫線３６ａは、１８０度曲げることを目的とする罫線である。罫線３６ｂは、９０度曲げることを目的とする。
第２の舌片３７は、罫線３６ａにまたがって設けられる部材であるが、第２の舌片３７自体には、罫線がつかないようにする。第１の舌片３５を罫線３６ａにそって折るときに、第２の舌片３７は、折曲がらずに起き上がるようにするためである。段ボールの向きには、折れやすい方向と折れにくい方向（目方向）がある。罫線３６ａは、折れにくい方向（目方向：紙幅方向）に設ける罫線とするのが望ましい。それにより、第２の舌片３７が起き上がる強度も大きくなる。
また、第２の舌片３７の先端と、第１の舌片３５との間には、空隙を設ける。これにより、罫線３６ａで折り曲げたときに、第２の舌片は、先端がひっかかることなく、スムーズに立ち上がることができる。
【００３３】
側壁３２ｂから上に延びる部分として設けられた上部内板３４ｂ、側壁３２ｃから上に延びる部分として設けられた上部内板３４ｃおよび側壁３２ｄから上に延びる部分として設けられた３４ｄは、主に上部内板として、蓋板３３を補強する機能を有する。それのみならず、第１の舌片３５を挿入可能な空間を形成する機能（ひいては可逆的な封印を実現させる機能）をも有する。
【００３４】
第１の舌片挿入空間形成部３４ｆ，３４ｇは、第１の舌片３５を溝あなに挿入したときに、ちょうど第１の舌片３５が収納される大きさを形成する。すなわち、第１の舌片３５を挿入したときに、ちょうどはいって、止まる空間を形成するものである。
また、上部内板３４ｃが側壁３２ｃと交わる部分には、溝あな形成部３４ｅが設けられる。
ロックの際、溝あなに挿入する第１の舌片３５は、段ボールを２枚重ねた状態であるので、厚くなっている。また、挿入の方向が目方向となる。そのため、強度、直進性に強い状態である。しかも、第２の舌片３７が起き上がっている。その状態で溝あなに挿入するので、狭い空間に無理に押し入れている状態となる。そして、第２の舌片３７が、蓋体３３を内側から押し付けている状態であるので、ロックがなされる。
【００３５】
このように段ボール２枚と第２の舌片が重なった状態で押し込まれているのを解除するには、梱包箱１０を破壊するしかない。その破壊を行うのに便利なミシン目３８をあらかじめ用意しておく。ミシン目３８は、溝あなに隣接した部分にもうけてあるので、このミシン目を利用することにより、第１の舌片３５が分離され、ロック状態が解除される。
【００３６】
≪実施形態３：内壁と外壁の二重の段ボールからなる側面を有する直方体の一つの側面には二つのロック用穴を設け、他方の側面には溝穴を設けて、蓋体には、一方の端に凸状体を二つ設け、他方の端には溝穴に挿入する挿入体を設けた梱包箱≫
実施形態３の梱包箱５０は、図３(a)に示す下部構造５１と、図３(b)に示す蓋体６１とからなる。
下部構造５１は、長方形の底５２と、その４方向につながる外壁５３ａ，５３ｃ，５３ｅ，５３ｇと、それぞれの外壁につながるつなぎ部分５９ａ，５９ｃ，５９ｅ，５９ｇと、それぞれのつなぎ部分につながる内壁５４ａ，５４ｃ，５４ｅ，５４ｇと、外壁５３ａの左右につながる補強壁５３ｂ，５３ｈと、外壁５３ｅの左右につながる補強壁５３ｄ，５３ｆと、内壁５４ａの左右につながる切り込み付き補強壁５４ｂ，５４ｈと、内壁５４ｅの左右につながる切り込み付き補強壁５４ｄ，５４ｆとからなる。下部構造５１は、これらがつながった一体構造を有しており、折ることにより、直方体の下部構造(蓋体を除く部分）を形成するものである。
【００３７】
外壁５３ａには、ロック用穴５５ａ，５５ｂが形成されている。後述する凸状体６５，６６を挿入する部分である。ロック用穴の上部は、つなぎ部分５９ａに到達する位置まで開放されている。また、ロック用穴の下方においては、外壁５３ａは、上に凸の形状を有している。
外壁５３ｅには、溝穴５６が形成されている。後述する挿入体６７を挿入するものである。
つなぎ部分５９ａ（５９ｅ）は、外壁５３ａ（５３ｅ）と内壁５４ａ（５４ｅ）との間に段ボールが２枚ほど挿入可能なスペースを確保するために設けられる。また、つなぎ部分５９ｃ（５９ｇ）は、外壁５３ｃ（５３ｇ）と内壁５４ｃ（５４ｇ）との間に段ボールが４枚ほど挿入可能なスペースを確保するために設けられる。これらのつなぎ部分５９ａ，５９ｃ，５９ｅ，５９ｇは、下部構造５１を組み立てた状態にあっては、水平な面を形成し、後述する蓋体６１の上部多い部分６２の裏側に接する部分である。
【００３８】
切り込み付き補強壁５４ｂ，５４ｄ，５４ｆ，５４ｈは、それぞれが、図３(a)に描くように切り込みを有しており、切り込み付き補強壁５４ｂと切り込み付き補強壁５４ｄとがかみ合って結合し、切り込み付き補強壁５４ｆと切り込み付き補強壁５４ｈとがかみ合って結合する。
【００３９】
下部構造５１は、このように形成されているので、順序良く組み立てることで、直方体の下部構造となる。まず、底５２と外壁５３ａ（５３ｅ）との間の罫線、外壁５３ａ（５３ｅ）とつなぎ部分５９ａ（５９ｅ）との間の罫線、つなぎ部分５９ａ（５９ｅ）と内壁５４ａ（５４ｅ）との間の罫線をそれぞれ９０度、折る。
次に、内壁５４ａと切り込み付き補強壁５４ｂ（５４ｈ）との間の罫線を９０度折るとともに、内壁５４ｅと切り込み付き補強壁５４ｄ（５４ｆ）との間の罫線を９０度折って、切り込み付き補強壁５４ｂ（５４ｈ）と切り込み付き補強壁５４ｄ（５４ｆ）とを噛み合わせて結合する。さらに補強壁５３ｈを切り込み付き補強壁５４ｈに重なるように折る。
補強壁５３ｂを切り込み付き補強壁５４ｂに重なるように折る。補強壁５３ｄを切り込み付き補強壁５４ｄに重なるように折る。補強壁５３ｆを切り込み付き補強壁５４ｆに重なるように折る。
【００４０】
しかる後に、底５２と外壁５３ｃ（５３ｇ）の間の罫線、外壁５３ｃ（５３ｇ）とつなぎ部分５９ｃ（５９ｇ）との間の罫線、つなぎ部分５９ｃ（５９ｇ）と内壁５４ｃ（５４ｇ）との間の罫線をそれぞれ９０度曲げて畳み込むようにして折る。このとき５４ｃ、５４ｇには、その左右の下方に出っ張りがあるので、それらがストッパーとして機能し、外壁５３ｃ（５３ｇ）と内壁５４ｃ（５４ｇ）との間に、補強壁２枚、切り込み付き補強壁２枚合計４枚の段ボール板を挟み込んだ状態で固定がなされる。
こうして、下部構造５１の組み立てが完了する。
【００４１】
次に、この下部構造５１の内部に、収納すべきものを収納し、その後に、図３(ｂ)に示す蓋体６１をかぶせて不可逆的なロックを施す。
蓋体６１は、下部構造を組み立てた状態における５９ａ，５９ｃ，５９ｅ，５９ｇをちょうどすべて覆う部分である上部覆い部分６２と、上部覆い部分６２と罫線６３ａを介してつながる凸状体部分６３と、上部覆い部分６２と罫線６４ａを介してつながる挿入体部分６４とからなる。挿入体部分６４には、罫線６７ａを介して挿入体６７が設けられている。挿入体６７は、外壁５３ｅに設けられた溝穴５６にすっぽり入る寸法を有しており、挿入体６７が溝穴５６を通して、外壁５３ｅ、つなぎ部分５９ｅ、内壁５４ｅ、底５２により囲まれる空間に挿入されると、その空間にすっぽりと収容される。
【００４２】
凸状体部分６３は、罫線６３ａに平行な罫線６５ａ、６６ａを介してそれぞれつながる凸状体６５，６６を有している。凸状体６５、６６は、それぞれほぼ長方形の形状をした部分である。凸状体６５（６６）の先端から罫線６５ａ（６６ａ）までの長さは、罫線６３ａから罫線６５ａ（６６ａ）までの長さに等しい。そして、凸状体６５（６６）の幅は、ロック用穴５５ａ（５５ｂ）の幅と同一である。このことは、凸状体６５（６６）を罫線６５ａ（６６ａ）に沿って１８０度、向こう側に折ってロック穴５５ａ（５５ｂ）に挿入したときに、凸状体６５（６６）がちょうどロック穴５５ａ（５５ｂ）に嵌る位置に落ち着いて、凸状体６５（６６）の先端は、つなぎ部分５９ａの内側に当接し、その位置より浅い位置へも、深い位置へも移動不可能な位置に固定されることを意味する。
【００４３】
また、凸状体部分６３のうち、凸状体６５、６６が設けられている部分以外の部分は、罫線６５ａ，６６ａの位置よりも下方に向かって延びている。ここで、下方は、下部構造５１を組み立てた状態で底を下にして置いて、蓋体６１を下部構造５１にかぶせて、不可逆的ロックを施そうとするときの下方をいう。
さらにまた、前述したように、下部構造５１において、外壁５３ａに設けられたロック用穴５５ａ，５５ｂの下方の部分は、上に向かって凸状に突き出ている。
このように構成されているので、一旦、凸状体６５（６６）がロック用穴５５ａ，５５ｂに奥まで挿入されると、梱包箱５０を構成する下部構造５１または蓋体６１のいずれかを破壊しなくては、ロックを解除できない。
【００４４】
梱包箱５０（下部構造５１、蓋体６１）は、このように構成されているので、不可逆的ロックを施そうとする際には、まず、罫線６７ａを用いて挿入体６７を折って、それを溝穴５６に挿入する。そして、罫線６５ａ，６６ａを用いて凸状体６５、６６を折り、折り込んだ凸状体６５，６６をロック用穴５５ａ、５５ｂに挿入し、奥まで入れる。これにより、不可逆的ロックがなされる。
凸状体部分６３の罫線６５ａ、６６ａの近くには、見えやすい位置に指穴６８、６９が設けられている。この指穴６８，６９は、通常の人の指が入る大きさの円形に近い穴である。不可逆的なロックを解除する際には、この指穴６８，６９に指を入れて、梱包箱５０（蓋体６１）を破壊することにより、ロック解除がなされる。この指穴は見やすい位置にあるので、指穴がもとの形状のままであることは、ロックがいまだに解除されていないことを保証することになる。
【００４５】
≪実施形態４：内壁と外壁の二重の段ボールからなる側面を有する直方体の両側の側面にそれぞれ一つずつロック用穴を設け、蓋体には、両方の端に凸状体をそれぞれ一つずつ設けた梱包箱≫
実施形態４の梱包箱７０は、図４(a)に示す下部構造７１と、図３(b)に示す蓋体８１とからなる。
下部構造７１は、長方形の底７２と、その４方向につながる外壁７３ａ，７３ｃ，７３ｅ，７３ｇと、それぞれの外壁につながるつなぎ部分７９ａ，７９ｃ，７９ｅ，７９ｇと、それぞれのつなぎ部分につながる内壁７４ａ，７４ｃ，７４ｅ，７４ｇと、外壁７３ａの左右につながる補強壁７３ｂ，７３ｈと、外壁７３ｅの左右につながる補強壁７３ｄ，７３ｆと、内壁７４ａの左右につながる切り込み付き補強壁７４ｂ，７４ｈと、内壁７４ｅの左右につながる切り込み付き補強壁７４ｄ，７４ｆとからなる。下部構造７１は、これらがつながった一体構造を有しており、折ることにより、直方体の下部構造(蓋体を除く部分）を形成するものである。
【００４６】
外壁７３ａ（７３ｅ）には、ロック用穴７５ａ（７５ｅ）が形成されている。後述する凸状体８５（８７）を挿入する部分である。ロック用穴の上部は、つなぎ部分７９ａに到達する位置まで開放されている。また、ロック用穴の下方においては、外壁７３ａは、上に凸の形状を有している。
外壁７３ｅにも、ロック用穴７５ｅが形成されている。実施形態４では、外壁７３ａと外壁７３ｅとにそれぞれロック用穴７５ａ、７５ｅを一個ずつもうけた。１個ずつではなく、２個ずつ設けてもよい、また一方に一個、他方に２個などとしてもよい。それに対応して、蓋体８１には、それに挿入する凸状体を配置する。
【００４７】
つなぎ部分７９ａ（７９ｅ）は、外壁７３ａ（７３ｅ）と内壁７４ａ（７４ｅ）との間に段ボールが２枚ほど挿入可能なスペースを確保するために設けられる。また、つなぎ部分７９ｃ（７９ｇ）は、外壁７３ｃ（７３ｇ）と内壁７４ｃ（７４ｇ）との間に段ボールが４枚ほど挿入可能なスペースを確保するために設けられる。これらのつなぎ部分７９ａ，７９ｃ，７９ｅ，７９ｇは、下部構造７１を組み立てた状態にあっては、水平な面を形成し、後述する蓋体７１の上部多い部分７２の裏側に接する部分である。
【００４８】
切り込み付き補強壁７４ｂ，７４ｄ，７４ｆ，７４ｈは、それぞれが、図４(a)に描くように切り込みを有しており、切り込み付き補強壁７４ｂと切り込み付き補強壁７４ｄとがかみ合って結合し、切り込み付き補強壁７４ｆと切り込み付き補強壁７４ｈとがかみ合って結合する。
【００４９】
下部構造７１は、このように形成されているので、順序良く組み立てることで、直方体の下部構造となる。まず、底７２と外壁７３ａ（７３ｅ）との間の罫線、外壁７３ａ（７３ｅ）とつなぎ部分７９ａ（７９ｅ）との間の罫線、つなぎ部分７９ａ（７９ｅ）と内壁７４ａ（７４ｅ）との間の罫線をそれぞれ９０度、折る。
次に、内壁７４ａと切り込み付き補強壁７４ｂ（７４ｈ）との間の罫線を９０度折るとともに、内壁７４ｅと切り込み付き補強壁７４ｄ（７４ｆ）との間の罫線を９０度折って、切り込み付き補強壁７４ｂ（７４ｈ）と切り込み付き補強壁７４ｄ（７４ｆ）とを噛み合わせて結合する。さらに補強壁７３ｈを切り込み付き補強壁７４ｈに重なるように折る。
補強壁７３ｂを切り込み付き補強壁７４ｂに重なるように折る。補強壁７３ｄを切り込み付き補強壁７４ｄに重なるように折る。補強壁７３ｆを切り込み付き補強壁７４ｆに重なるように折る。
【００５０】
しかる後に、底７２と外壁７３ｃ（７３ｇ）の間の罫線、外壁７３ｃ（７３ｇ）とつなぎ部分７９ｃ（７９ｇ）との間の罫線、つなぎ部分７９ｃ（７９ｇ）と内壁７４ｃ（７４ｇ）との間の罫線をそれぞれ９０度曲げて畳み込むようにして折る。このとき７４ｃ、７４ｇには、その左右の下方に出っ張りがあるので、それらがストッパーとして機能し、外壁７３ｃ（７３ｇ）と内壁７４ｃ（７４ｇ）との間に、補強壁２枚、切り込み付き補強壁２枚合計４枚の段ボール板を挟み込んだ状態で固定がなされる。
こうして、下部構造７１の組み立てが完了する。
【００５１】
次に、この下部構造７１の内部に、収納すべきものを収納し、その後に、図４(ｂ)に示す蓋体８１をかぶせて不可逆的なロックを施す。
蓋体８１は、下部構造を組み立てた状態における７９ａ，７９ｃ，７９ｅ，７９ｇをちょうどすべて覆う部分である上部覆い部分８２と、上部覆い部分８２と罫線８３ａを介してつながる凸状体部分８３と、上部覆い部分８２と罫線８４ａを介してつながる凸状体部分８４とからなる。
【００５２】
凸状体部分８３（８４）は、罫線８３ａ（８４ａ）に平行な罫線８５ａ（８７ａ）を介してつながる凸状体８５（８７）を有している。凸状体８５、８７は、それぞれほぼ長方形の形状をした部分である。凸状体８５（８７）の先端から罫線８５ａ（８７ａ）までの長さは、罫線８３ａ（８４ａ）から罫線８５ａ（８７ａ）までの長さに等しい。そして、凸状体８５（８７）の幅は、ロック用穴７５ａ（７５ｅ）の幅と同一である。このことは、凸状体８５（８７）を罫線８５ａ（８７ａ）に沿って１８０度、向こう側に折ってロック穴７５ａ（７５ｅ）に挿入したときに、凸状体８５（８７）がちょうどロック穴７５ａ（７５ｅ）に嵌る位置に落ち着いて、凸状体８５（８７）の先端は、つなぎ部分７９ａ（７９ｅ）の内側に当接し、その位置より浅い位置へも、深い位置へも移動不可能な位置に固定されることを意味する。
【００５３】
また、凸状体部分８３（８４）のうち、凸状体８５（８７）が設けられている部分以外の部分は、罫線８５ａ（８７ａ）の位置よりも下方に向かって延びている。ここで、下方は、下部構造７１を組み立てた状態で底を下にして置いて、蓋体８１を下部構造７１にかぶせて、不可逆的ロックを施そうとするときの下方をいう。
さらにまた、前述したように、下部構造７１において、外壁７３ａ（７３ｅ）に設けられたロック用穴７５ａ（７５ｅ）の下方の部分は、上に向かって凸状に突き出ている。
このように構成されているので、一旦、凸状体８５（８７）がロック用穴７５ａ（７５ｅ）に奥まで挿入されると、梱包箱７０を構成する下部構造７１または蓋体８１のいずれかを破壊しなくては、ロックを解除できない。
【００５４】
梱包箱７０（下部構造７１、蓋体８１）は、このように構成されているので、不可逆的ロックを施そうとする際には、罫線８５ａ，８７ａを用いて凸状体８５、８７を折り、折り込んだ凸状体８５，８７をロック用穴７５ａ、７５ｅに挿入し、奥まで入れる。これにより、不可逆的ロックがなされる。
凸状体部分８３（８４）の罫線８５ａ（８７ａ）の近くには、見えやすい位置に指穴８８（８９）が設けられている。この指穴８８，８９は、通常の人の指が入る大きさの円形に近い穴である。不可逆的なロックを解除する際には、この指穴８８，８９に指を入れて、梱包箱７０（蓋体８１）を破壊することにより、ロック解除がなされる。この指穴は見やすい位置にあるので、指穴がもとの形状のままであることは、ロックがいまだに解除されていないことを保証することになる。
【００５５】
≪組み立て、ロック、ロック解除の説明写真≫
以上、展開図である図１から図４までを参照しつつ、実施形態１から実施形態４までについて説明した。図５から図１１までにおいては、写真を参照しつつ、説明する。
図５は、実施形態１の梱包箱のロック方法を示す写真である。
図５(a)は、図１に描いた実施形態１の梱包箱において、側壁および底を組み立て終えた状態であって、上部内板１４ａ，１４ｂがほぼ閉じて水平に近い状態であり、蓋体１３が向こう側に、第一の舌片１５が手前に見えている状態を示している。
図５(b)は、蓋さしこみ部さしこみ空間形成部１４ｇ，１４ｈと側壁１２ｃとに囲まれた空間に、蓋さしこみ部１３ａを差し込もうとする状態を示している。
図５(c)は、蓋さしこみ部１３ａをさしこみ終えて、第１の舌片１５を罫線１６ａ、１６ｂにしたがって折ろうとする状態を示している。
図５(d)は、第１の舌片１５の罫線１６ｂで折れている状態である。
図５(e)は、第１の舌片１５の罫線１６ａで折れている状態である。このとき第２の舌片１７には、罫線が入っていないので、折れずに、立ち上がっている。
図５(f)は、第２の舌片１７の根元あたりを溝あな形成部１３ｂに押し付けて、立ち上がっている第２の舌片ごと、第１の舌片を溝あなに押し込もうとする状態である。
図５(g)は、第１の舌片がすこし、溝あなにはいりかけた状態である。
図５(h)は、第１の舌片が半分ほど、溝あなに入った状態である。第２の舌片の先がすこし見えている。
図５(i)は、第１の舌片の大半が溝あなに入った状態である。もはや第２の舌片は見えない。
図５(j)は、第１の舌片がすべて溝あなに入った状態である。
図５(k)は、そこをあけて、底側から、第１の舌片の状態を観察している。第１の舌片が罫線１６ａ，１６ｂで折れた状態のまま、収納されている様子がわかる。
図５(l)は、さらに、底を広げて、第１の舌片の状態を観察しているものである。
【００５６】
図６は、実施形態１の梱包箱のロックを解除する様子を示す写真である。
図６(a)は、ミシン目１８を用いて、側壁を破り、ロックを解除した状態を示す図である。
図６(b)は、破片となった第１の舌片を手に取っている様子を示す図である。
図６(c)は、破片となった第１の舌片を再度、溝あなに当てている様子を示す図である。
図６(d)は、破片となった第１の舌片を再度、溝あなに当てている様子を示す図である。
図６(e)は、破片となった第１の舌片を再度、溝あなに当てている様子を示す図である。
図６(f)は、破片となった第１の舌片を再度、溝あなに当てている様子を示す図である。
図６(g)は、破片となった第１の舌片を再度、溝あなに当てている様子を示す図である。
図６(h)は、破片となった第１の舌片を再度、溝あなに当てている様子を示す図である。
図６(i)は、破片となった第１の舌片を再度、溝あなに当てている様子を示す図である。
図６(j)は、破片となった第１の舌片が、罫線１６ａ，１６ｂで折れている具合を確認する図である。
図６(k)は、破片となった第１の舌片が、罫線１６ａ，１６ｂで折れている具合を確認する図である。
図６(l)は、破片となった第１の舌片が、罫線１６ａ，１６ｂで折れている具合を確認する図である。
【００５７】
図７は、実施形態２の梱包箱のロック方法を示す写真である。
図７(a)は、側壁をすでに組み立てた状態で、蓋体３３の先にある第１の舌片を溝あな形成部３４ｅに近づけようとする図である。
図７(b)は、第１の舌片を罫線３６ｂ，３６ａで折り曲げている状態を示す図である。
図７(c)は、第２の舌片３７が立ち上がっている状態で、第１の舌片を溝あなに近づけている図である。
図７(d)は、立ち上がっている第２の舌片の根元あたりを溝あなに近づけて、第１の舌片を溝あなに挿入しようとする図である。
図７(e)は、第１の舌片を溝穴に挿入し終えて、ロックが完了した様子を示す図である。
【００５８】
図８は、実施形態３の梱包箱の組み立て方法を示す写真である。
図８(a)は、底５２と外壁５３ｅ、外壁５３ｅとつなぎ部分５９e、つなぎ部分５９ｅと内壁５４ｅとの間の罫線を用いて、それぞれを折っている状態を示す図である。
図８(b)は、底５２と外壁５３ａ、外壁５３ａとつなぎ部分５９ａ、つなぎ部分５９ａと内壁５４ａとの間の罫線を用いて、それぞれを折っている状態を示す図である。
図８(c)は、底５２と外壁５３ａ、外壁５３ａとつなぎ部分５９ａ、つなぎ部分５９ａと内壁５４ａとの間の罫線を用いて、それぞれを折っている状態を示す図である。
図８(d)は、底５２と外壁５３ａ、外壁５３ａとつなぎ部分５９ａ、つなぎ部分５９ａと内壁５４ａとの間の罫線を用いて、それぞれを折っている状態を示す図である。
図８(e)は、切り込み付き補強壁５４ｆと５４ｈとを噛み合わせて結合する状態を示す図である。
図８(f)は、補強壁５３ｆを、５４ｆ、５４ｈに重ねている状態を示す図である。
図８(g)は、補強壁５３ｈを、５４ｆ、５４ｈに重ねている状態を示す図である。
図８(h)は、重なった４枚の段ボール板を整えている状態を示す図である。
図８(i)は、外壁５３ｇ、つなぎ部分５９ｇ、内壁５４ｇを畳み込むように織り込んでいる状態を示す図である。
図８(j)は、外壁５３ｇ、つなぎ部分５９ｇ、内壁５４ｇを畳み込むように織り込んでいる状態を示す図である。
図８(k)は、内壁５４ｇの下方の両脇に設けられた出っ張りを押し込むことにより、内壁を固定させる様子を示す図である。
図８(l)は、切り込み付き補強壁５４ｂと５４ｄとを噛み合わせて結合する状態を示す図である。
【００５９】
図９は、実施形態３の梱包箱の組み立て方法（続き）および蓋体のロック直前までの様子を示す写真である。
図９(a)は、切り込み付き補強壁５４ｂと５４ｄとを噛み合わせて結合する状態を示す図である。
図９(b)は、切り込み付き補強壁５４ｂと５４ｄとを噛み合わせて結合する状態を示す図である。
図９(c)は、切り込み付き補強壁５４ｂと５４ｄとを噛み合わせて結合する状態を示す図である。
図９(d)は、切り込み付き補強壁５４ｂと５４ｄとを噛み合わせて結合する状態を示す図である。
図９(e)は、補強壁５３ｂと５４ｄとを、重ねて４枚の段ボールをひとまとめにしている状態を示す図である。
図９(f)は、、外壁５３ｃ、つなぎ部分５９ｃ、内壁５４ｃを畳み込むように織り込んでいる状態を示す図である。
図９(g)は、内壁５４ｃの下方の両脇に設けられた出っ張りを押し込むことにより、内壁を固定させる様子を示す図である。
図９(h)は、蓋体６１を手にとる様子を示している図である。
図９(i)は、罫線６４ａに沿って折っている様子を示す図である。
図９(j)は、蓋体６１を手にとって、罫線６７ａを折ろうとする様子を示す図である。
図９(k)は、罫線６７ａを折っている様子を示す図である。
図９(l)は、挿入体６７を溝穴５６に挿入しようとする様子を示す図である。
【００６０】
図１０は、実施形態３の梱包箱のロック方法を示す写真である。
図１０(a)は、挿入体６７を溝穴５６に挿入した様子を示す図である。
図１０(b)は、挿入体６７を溝穴５６に挿入した状態を保ったまま、蓋体６１の上部多い部分６２を下部構造５１全体を覆うようにする様子を示す図である。
図１０(c)は、蓋体６１で、下部構造５１を覆う様子を示す図である。
図１０(d)は、凸状体６５，６６を罫線６５ａ，６６ａで折る様子を示す図である。
図１０(e)は、凸状体６５，６６を罫線６５ａ，６６ａで折る様子を示す図である。
図１０(f)は、凸状体６５，６６を罫線６５ａ，６６ａで折る様子を示す図である。
図１０(g)は、凸状体６５，６６をロック用穴５５ａ，５５ｂに挿入しようとする様子を示す図である。
図１０(h)は、凸状体６５，６６をロック用穴５５ａ，５５ｂに挿入しようとする様子を示す図である。
図１０(i)は、凸状体６５，６６をロック用穴５５ａ，５５ｂに挿入している様子を示す図である。
図１０(j)は、凸状体６５，６６をロック用穴５５ａ，５５ｂに挿入している様子を示す図である。
【００６１】
図１１は、実施形態４のロック方法およびロックを解除する様子を示す写真である。
図１１(a)は、下部構造７１の組み立てが終わり、蓋体８１を手にする様子を示す図である。
図１１(b)は、罫線にしたがい、蓋体８１に折り目をつける様子を示す図である。
図１１(c)は、罫線にしたがい、蓋体８１に折り目をつける様子を示す図である。
図１１(d)は、罫線にしたがい、蓋体８１に折り目をつける様子を示す図である。
図１１(e)は、罫線にしたがい、蓋体８１に折り目をつける様子を示す図である。
図１１(f)は、凸状体８５，８７をロック用穴７５ａ，７５ｅに挿入する様子を示す図である。
図１１(g)は、凸状体８５，８７をロック用穴７５ａ，７５ｅに挿入する様子を示す図である。
図１１(h)は、凸状体８５，８７をロック用穴７５ａ，７５ｅに挿入する様子を示す図である。
図１１(i)は、ロックが完了した様子を示す図である。
図１１(j)は、指穴に指をかけている様子を示す図である。
図１１(k)は、梱包箱を破壊してロックを解除する様子を示す図である。
【００６２】
以上、本発明のロック機構を有する梱包箱について、具体的な実施の形態を示して説明したが、本発明はこれらに限定されるものではない。当業者であれば、本発明の要旨を逸脱しない範囲内において、上記各実施形態におけるの構成及び機能に様々な変更・改良を加えることが可能である。
【産業上の利用可能性】
【００６３】
トマト、ミニトマト、アスパラガスなどの野菜やイチゴ、さくらんぼ、キィウィ、ももなどの果物をいれる梱包箱として役立つ。
【符号の説明】
【００６４】
１０  梱包箱
１１ａ，１１ｂ，１１ｃ，１１ｄ  底
１２ａ，１２ｂ，１２ｃ，１２ｄ  側壁
１２ｅ  のりしろ
１３  蓋体
１３ａ  蓋さしこみ部
１３ｂ  溝あな形成部
１４ａ，１４ｂ  上部内板
１４ｃ，１４ｄ，１４ｅ，１４ｆ  第１の舌片挿入空間形成部
１４ｇ，１４ｈ  蓋さしこみ部さしこみ空間形成部
１５  第１の舌片
１６ａ，１６ｂ，１６ｃ  罫線
１７  第２の舌片
１８  ミシン目
３０  梱包箱
３１ａ，３１ｂ，３１ｃ，３１ｄ  底
３２ａ，３２ｂ，３２ｃ，３２ｄ  側壁
３２ｅ  のりしろ
３３  蓋体
３４ｅ  溝あな形成部
３４ｂ，３４ｃ，３４ｄ  上部内板
３４ｅ  溝あな形成部
３４ｆ，３４ｇ  第１の舌片挿入空間形成部
３５  第１の舌片
３６ａ，３６ｂ  罫線
３７  第２の舌片
３８  ミシン目
５０  梱包箱
５１  下部構造
５２  底
５３ａ，５３ｃ，５３ｅ，５３ｇ  外壁
５３ｂ，５３ｄ，５３ｆ，５３ｈ  補強壁
５４ａ，５４ｃ，５４ｅ，５４ｇ  内壁
５４ｂ，５４ｄ，５４ｆ，５４ｈ  切り込み付き補強壁
５５ａ，５５ｂ  ロック用穴
５６  溝穴
６１  蓋体
６２  上部覆い部分
６３  凸状体部分
６４  挿入体部分
６５，６６  凸状体
６３ａ，６４ａ，６５ａ，６６ａ，６７ａ  罫線
６７  挿入体
６８，６９  指穴
７０  梱包箱
７１  下部構造
７２  底
７３ａ，７３ｃ，７３ｅ，７３ｇ  外壁
７３ｂ，７３ｄ，７３ｆ，７３ｈ  補強壁
７４ａ，７４ｃ，７４ｅ，７４ｇ  内壁
７４ｂ，７４ｄ，７４ｆ，７４ｈ  切り込み付き補強壁
７５ａ，７５ｅ  ロック用穴
８１  蓋体
８２  上部覆い部分
８３，８４  凸状体部分
８５，８７  凸状体
８３ａ，８４ａ，８５ａ，８７ａ  罫線
８８，８９  指穴
【図１】
2019209979.tif 000003
【図２】
2019209979.tif 000004
【図３】
2019209979.tif 000005
【図４】
2019209979.tif 000006
【図５】
2019209979.tif 000007
【図６】
2019209979.tif 000008
【図７】
2019209979.tif 000009
【図８】
2019209979.tif 000010
【図９】
2019209979.tif 000011
【図１０】
2019209979.tif 000012
【図１１】
2019209979.tif 000013